(57)【要約】本開示は、系列群の確定方法及び確定装置、サイクリックシフト（ＣＳ）の確定方法及び確定装置を開示しており、該方法は、第１の指定ＯＦＤＭシンボルのスケジューリングユニットにおけるシンボルインデックスを取得し、該シンボルインデックスに従って、チャネル又は信号用の系列群又はＣＳを確定することを含む。【選択図】図１
2021503840.tif 000002
【特許請求の範囲】
【請求項１】
第１の指定直交周波数分割多重ＯＦＤＭシンボルのスケジューリングユニットにおけるシンボルインデックスを確定することと、
前記シンボルインデックスに従って、前記スケジューリングユニット上のチャネル又は信号用の系列群を確定することとを含む、系列群の確定方法。
【請求項２】
前記チャネル又は信号における第２の指定ＯＦＤＭシンボルを前記第１の指定ＯＦＤＭシンボルとして確定する、請求項１に記載の系列群の確定方法。
【請求項３】
前記チャネル又は信号における１番目のＯＦＤＭシンボルを前記第２の指定ＯＦＤＭシンボルとして確定する、請求項２に記載の系列群の確定方法。
【請求項４】
前記チャネル又は信号は周波数ホッピングが発生した場合、前記方法は、
１つの周波数ホッピングにおける第３の指定ＯＦＤＭシンボルのスケジューリングユニットにおけるシンボルインデックスにより、前記１つの周波数ホッピング用の系列群を確定することを更に含む、請求項２に記載の系列群の確定方法。
【請求項５】
前記周波数ホッピングにおける１番目のＯＦＤＭシンボルを前記第３の指定ＯＦＤＭシンボルとして確定する、請求項４に記載の系列群の確定方法。
【請求項６】
前記スケジューリングユニットにおける指定シンボルは、通信双方の基地局によって前記第２の指定ＯＦＤＭシンボルとして配置される、請求項２に記載の系列群の確定方法。
【請求項７】
前記スケジューリングユニットにおける指定シンボルは、通信双方の基地局によって前記第２の指定ＯＦＤＭシンボルとして配置されることは、
複数のチャネル又は信号が多重される場合、前記基地局は、前記複数のチャネル又は信号が共通に多重されるＯＦＤＭシンボルのうちの１つを前記第２の指定ＯＦＤＭシンボルとして使用するように指示することを含む、請求項６に記載の系列群の確定方法。
【請求項８】
前記チャネル又は信号が複数のセグメントに分割された場合、前記シンボルインデックスに従って前記チャネル又は信号用の系列群を確定することは、
各セグメントのチャネル又は信号上の１つのＯＦＤＭシンボルを該セグメントの第２の指定ＯＦＤＭシンボルとすることと、
前記第２の指定ＯＦＤＭシンボルに対応するシンボルインデックスに従って、該セグメントのチャネル又は信号用の系列群を確定することとを含む、請求項２に記載の系列群の確定方法。
【請求項９】
前記方法は、
前記チャネル又は信号における各ＯＦＤＭシンボルのスケジューリングユニットにおける対応するシンボルインデックスを確定することと、
前記シンボルインデックスに従って、対応する前記各ＯＦＤＭシンボル用の系列群をそれぞれ確定することとを更に含む、請求項２に記載の系列群の確定方法。
【請求項１０】
前記方法は、
前記チャネル又は信号が所在するスケジューリングユニットにおける第４の指定上りＯＦＤＭシンボルを前記第１の指定ＯＦＤＭシンボルとして確定することを更に含む、請求項１に記載の系列群の確定方法。
【請求項１１】
前記スケジューリングユニットにおける１番目の上りＯＦＤＭシンボルを前記第４の指定上りＯＦＤＭシンボルとして確定する、請求項１０に記載の系列群の確定方法。
【請求項１２】
前記チャネル又は信号は周波数ホッピングが発生したことを確定した場合、前記方法は、
前記スケジューリングユニットにおける異なる上りＯＦＤＭシンボルのシンボルインデックスにより、異なる周波数ホッピング用の系列群を確定することを更に含む、請求項１０に記載の系列群の確定方法。
【請求項１３】
前記シンボルインデックスに従って、次の式で前記チャネル又は信号用の系列群を確定し、
2021503840.tif 000022
【請求項１４】
前記チャネル又は信号は、
物理上り制御チャネルと、
物理上り共用チャネルと、
チャネルサウンディング参照ＳＲＳ信号と、
ミニサブフレームｍｉｎｉ−ｓｌｏｔと、
非サブフレームｓｌｏｔに従って、ｓｌｏｔでスケジューリングされたチャネル又は信号と、
のうちの１つを含む、請求項１〜１２のいずれか一項に記載の系列群の確定方法。
【請求項１５】
チャネル又は信号が所在するスケジューリングユニットの複数のシンボルグループを取得することと、
前記複数のシンボルグループに従って、前記スケジューリングユニット用の複数の系列群を取得することと、
所定ルールに従って前記チャネル又は信号上で前記複数の系列群を使用することとを含む、系列群の確定方法。
【請求項１６】
前記チャネル又は信号は、
ＰＵＣＣＨチャネルと、
ＰＵＳＣＨチャネルと、
ＳＲＳ信号と、
ｍｉｎｉ−ｓｌｏｔと、
非ｓｌｏｔに従ってｓｌｏｔでスケジューリングされたチャネル又は信号と、
のうちの１つを含む、請求項１５に記載の系列群の確定方法。
【請求項１７】
第５の指定ＯＦＤＭシンボルのスケジューリングユニットにおけるシンボルインデックスを確定することと、
前記シンボルインデックスに従って、前記スケジューリングユニット上のチャネル又は信号用のＣＳを確定することとを含む、サイクリックシフトＣＳの確定方法。
【請求項１８】
前記チャネル又は信号における第６の指定ＯＦＤＭシンボルを前記第５の指定ＯＦＤＭシンボルとして確定する、請求項１７に記載のサイクリックシフトＣＳの確定方法。
【請求項１９】
前記チャネル又は信号における１番目のＯＦＤＭシンボルを前記第６の指定ＯＦＤＭシンボルとして確定する、請求項１８に記載のサイクリックシフトＣＳの確定方法。
【請求項２０】
前記チャネル又は信号は周波数ホッピングが発生した場合、前記方法は、
１つの周波数ホッピングにおける第７の指定ＯＦＤＭシンボルのスケジューリングユニットにおけるシンボルインデックスにより、前記周波数ホッピング用のＣＳを確定することを更に含む、請求項１８に記載のサイクリックシフトＣＳの確定方法。
【請求項２１】
前記周波数ホッピングにおける１番目のＯＦＤＭシンボルを前記第７の指定ＯＦＤＭシンボルとして確定する、請求項２０に記載のサイクリックシフトＣＳの確定方法。
【請求項２２】
前記スケジューリングユニットにおける指定シンボルは、通信双方の基地局によって前記第６の指定ＯＦＤＭシンボルとして配置される、請求項１８に記載のサイクリックシフトＣＳの確定方法。
【請求項２３】
前記スケジューリングユニットにおける指定シンボルは、通信双方の基地局によって前記第６の指定ＯＦＤＭシンボルとして配置されることは、
複数のチャネル又は信号が多重される場合、前記基地局は、前記複数のチャネル又は信号が共通に多重されるＯＦＤＭシンボルのうちの１つを前記第６の指定ＯＦＤＭシンボルとして使用するように指示することを含む、請求項２２に記載のサイクリックシフトＣＳの確定方法。
【請求項２４】
前記チャネル又は信号が複数のセグメントに分割された場合、前記シンボルインデックスに従って前記チャネル又は信号用のＣＳを確定することは、
各セグメントのチャネル又は信号上の１つのＯＦＤＭシンボルを該セグメントの第６の指定ＯＦＤＭシンボルとすることと、
前記第６の指定ＯＦＤＭシンボルに従って、該セグメントのチャネル又は信号用のＣＳを確定することとを含む、請求項１８に記載のサイクリックシフトＣＳの確定方法。
【請求項２５】
前記方法は、
前記チャネル又は信号における各ＯＦＤＭシンボルのスケジューリングユニットにおける対応するシンボルインデックスを確定することと、
前記シンボルインデックスに従って、対応する前記各ＯＦＤＭシンボル用のＣＳをそれぞれ確定することとを更に含む、請求項１８に記載のサイクリックシフトＣＳの確定方法。
【請求項２６】
前記チャネル又は信号が所在するスケジューリングユニットにおける第８の指定上りＯＦＤＭシンボルを前記第５の指定ＯＦＤＭシンボルとして確定することを更に含む、請求項１７に記載のサイクリックシフトＣＳの確定方法。
【請求項２７】
前記スケジューリングユニットにおける１番目の上りシンボルに対応するシンボルインデックスを前記第８の指定上りＯＦＤＭシンボルインデックスとして確定する、請求項２６に記載のサイクリックシフトＣＳの確定方法。
【請求項２８】
前記チャネル又は信号は周波数ホッピングが発生したことを確定した場合、前記方法は、
前記スケジューリングユニットにおける異なる上りシンボルのシンボルインデックスにより、異なる周波数ホッピング用のＣＳを確定することを更に含む、請求項２６に記載のサイクリックシフトＣＳの確定方法。
【請求項２９】
前記シンボルインデックスに従って、次の式で前記チャネル又は信号用のＣＳを確定し、
2021503840.tif 000023
【請求項３０】
前記チャネル又は信号は、
ＰＵＣＣＨチャネルと、
ＰＵＳＣＨチャネルと、
ＳＲＳ信号と、
ｍｉｎｉ−ｓｌｏｔと、
非ｓｌｏｔに従ってｓｌｏｔでスケジューリングされたチャネル又は信号と、
のうちの１つを含む、請求項１７〜２８のいずれか一項に記載のサイクリックシフトＣＳの確定方法。
【請求項３１】
チャネル又は信号が所在するスケジューリングユニットの複数のシンボルグループを取得することと、
前記複数のシンボルグループに従って、前記スケジューリングユニット用の複数のＣＳを取得することと、
所定ルールに従って前記チャネル又は信号上で前記複数のＣＳを使用することとを含む、ＣＳの確定方法。
【請求項３２】
前記チャネル又は信号は、
ＰＵＣＣＨチャネルと、
ＰＵＳＣＨチャネルと、
ＳＲＳ信号と、
ｍｉｎｉ−ｓｌｏｔと、
非ｓｌｏｔに従ってｓｌｏｔでスケジューリングされたチャネル又は信号と、
のうちの１つを含む、請求項３１に記載のＣＳの確定方法。
【請求項３３】
第１の指定ＯＦＤＭシンボルのスケジューリングユニットにおけるシンボルインデックスを確定するように構成される第１の確定モジュールと、
前記シンボルインデックスに従って、前記スケジューリングユニット上のチャネル又は信号用の系列群を確定するように構成される第２の確定モジュールとを含む、系列群の確定装置。
【請求項３４】
チャネル又は信号が所在するスケジューリングユニットの複数のシンボルグループを取得するように構成される第１の取得モジュールと、
前記複数のシンボルグループに従って、前記スケジューリングユニット用の複数の系列群を取得するように構成される第２の取得モジュールと、
所定ルールに従って前記チャネル又は信号上で前記複数の系列群を使用するように構成される第１の適用モジュールとを含む、系列群の確定装置。
【請求項３５】
第５の指定ＯＦＤＭシンボルのスケジューリングユニットにおけるシンボルインデックスを確定するように構成される第３の確定モジュールと、
前記シンボルインデックスに従って、前記スケジューリングユニット上のチャネル又は信号用のＣＳを確定するように構成される第４の確定モジュールとを含む、ＣＳの確定装置。
【請求項３６】
チャネル又は信号が所在するスケジューリングユニットの複数のシンボルグループを取得するように構成される第３の取得モジュールと、
前記複数のシンボルグループに従って、前記スケジューリングユニット用の複数のＣＳを取得するように構成される第４の取得モジュールと、
所定ルールに従って前記チャネル又は信号上で前記複数のＣＳを使用するように構成される第２の適用モジュールとを含む、ＣＳの確定装置。
【請求項３７】
記憶されたプログラムを含む記憶媒体であって、前記プログラムが実行されるときに、請求項１〜１４のいずれか一項に記載の系列群の確定方法を実行するか、或いは請求項１５又は１６に記載の系列群の確定方法を実行するか、或いは請求項１７〜３０のいずれか一項に記載のサイクリックシフトＣＳの確定方法を実行するか、或いは請求項３１又は３２に記載のＣＳの確定方法を実行する、記憶媒体。
【請求項３８】
プログラムを実行するように構成されるプロセッサであって、前記プログラムが実行されるときに、請求項１〜１４のいずれか一項に記載の系列群の確定方法を実行するか、或いは請求項１５又は１６に記載の系列群の確定方法を実行するか、或いは請求項１７〜３０のいずれか一項に記載のサイクリックシフトＣＳの確定方法を実行するか、或いは請求項３１又は３２に記載のＣＳの確定方法を実行する、プロセッサ。
【発明の詳細な説明】
【技術分野】
【０００１】
本出願は、出願番号が２０１７１１１４４７４０．２号、出願日が２０１７年１１月１７日の中国特許出願に基づいて提出され、且つ該中国特許出願の優先権を主張し、該中国特許出願の全部内容を参照によって本出願に援用される。
【０００２】
本開示は、通信の分野に関するがこれらに限定されない。
【背景技術】
【０００３】
関連技術では、新世代の移動通信システム、即ち、新無線（Ｎｅｗ  Ｒａｄｉｏ，ＮＲと略称する）システムにおいて、上り制御チャネル（Ｐｈｙｓｉｃａｌ  Ｕｐｌｉｎｋ  Ｃｏｎｔｒｏｌ  ＣＨａｎｎｅｌ，ＰＵＣＣＨと略称する）が自身の系列群を如何に確定するかは未だ定かではない。具体的には、ＮＲシステムにＰＵＣＣＨフォーマットがあり、１つの系列の異なるサイクリックシフト（Ｃｙｃｌｉｃ  Ｓｈｉｆｔ，ＣＳと略称する）を通じてユーザデバイス（ＵＥ）によりフィードバックされたＡＣＫ情報、ＮＡＣＫ情報及び参照信号（Ｒｅｆｅｒｅｎｃｅ  Ｓｉｇｎａｌ，ＲＳと略称する）情報をキャリアし、ＰＵＣＣＨの系列群を如何に確定するかは未だ定かではない。
【０００４】
関連技術では、ＮＲシステムにおいて、コードブロックグループ（Ｃｏｄｅ  Ｂｌｏｃｋ  Ｇｒｏｕｐ，ＣＢＧと略称する）再送メカニズムがサポートされ、即ち、ＵＥがハイブリッド自動再送要求−確認情報（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅ，ＨＡＲＱ−ＡＣＫと略称する）をフィードバックするときに、ＣＢＧごとにフィードバックでき、基地局は、トランスポートブロック（Ｔｒａｎｓｐｏｒｔ  Ｂｌｏｃｋ，ＴＢと略称する）全体（一般に１つのＴＢは複数のＣＢＧを含んでもよい）を再送する必要がなく、正確に復号されていないＣＢＧを再送し、このように再送されるデータ量の低減に寄与する。
【０００５】
更に、ＮＲシステムにもサポートされ、ＵＥはＣＢＧ再送メカニズムが配置された場合、基地局は、フォールバックＤＣＩ（ｆａｌｌｂａｃｋ  ＤＣＩ，１種のＤＣＩフォーマットである）を用いてＵＥのためにＴＢをスケジューリングするときに、ＵＥは該ＴＢのためにＨＡＲＱ−ＡＣＫをフィードバックして他のＨＡＲＱ−ＡＣＫと多重しないと、ＵＥはＴＢレベルのＨＡＲＱ−ＡＣＫをフィードバックすべきである。つまり、上記の場合、ＣＢＧレベルのＨＡＲＱ−ＡＣＫが無効になる。
【０００６】
しかし、これも別の問題をもたらし、ＵＥにはＣＢＧ再送メカニズムが配置された場合、基地局は、フォールバック下り制御情報（Ｄｏｗｎｌｉｎｋ  Ｃｏｎｔｒｏｌ  Ｉｎｆｏｒｍａｔｉｏｎ，ＤＣＩと略称する）を用いてＵＥのためにＴＢをスケジューリングし、且つＵＥは該ＴＢのためにＨＡＲＱ−ＡＣＫをフィードバックして他のＨＡＲＱ−ＡＣＫと多重すると、ＵＥは如何に該ＴＢのためにＨＡＲＱ−ＡＣＫを形成するかは未だ定かではない。
【０００７】
ＮＲシステムにおいて、ＰＵＣＣＨのリソース割り当ては現在検討されており、基本的に次の内容が確定される。
ＮＲのＰＵＣＣＨは、該ＰＵＣＣＨの送信時の具体的なリソースなどを確定するために、スケジューリングユニット（例えば、スロット（ｓｌｏｔ））内に開始シンボル、連続するシンボル数、周波数ホッピングの有無及び開始するＣＳインデックスなどが配置される。例えば、１つのＰＵＣＣＨは、スケジューリングユニットにおけるあるシンボル、連続するＮ個のシンボル、周波数ホッピング及び開始ＣＳインデックスなどが配置されてもよい。ＰＵＣＣＨのスケジューリングユニットにおける開始シンボルは、変化しているものであって、基地局により配置されたものである。ＰＵＣＣＨのシンボル数も基地局により配置されたものであり、周波数ホッピングした後、各周波数ホッピング（英語はｈｏｐとして表現できる）のシンボル位置も変化している。関連技術では、ＬＴＥにおいて、ＰＵＣＣＨのサブフレーム内の開始位置は一定し、シンボル数も一定し、周波数ホッピング位置も一定する。
【０００８】
ＮＲシステムにおいて、一部のＰＵＣＣＨは、直交系列を通じてＡＣＫ及び／又はＮＡＣＫのビット情報をキャリアし、例えば、１つの系列（この系列は本明細書で系列群と称し、基本系列とも称する）の異なるＣＳを通じてＡＣＫ情報、ＮＡＣＫ情報及びＲＳ情報をそれぞれキャリアし、ＰＵＣＣＨなどのチャネル又は信号は如何にその使用する系列群を確定するかは未だ定かではない。
【０００９】
関連技術におけるチャネル又は信号用の系列群又はＣＳを確定できない問題については、現在有効な解決方案は未だいない。
【発明の概要】
【００１０】
本開示の実施例は系列群の確定方法及び確定装置、ＣＳの確定方法及び確定装置を提供する。
【００１１】
本開示の一実施例によれば、系列群の確定方法を提供しており、該方法は、第１の指定直交周波数分割多重（Ｏｒｔｈｏｇｏｎａｌ  Ｆｒｅｑｕｅｎｃｙ  Ｄｉｖｉｓｉｏｎ  Ｍｕｌｉｔｉｐｌｅｘｉｎｇ，ＯＦＤＭと略称する）シンボルのスケジューリングユニットにおけるシンボルインデックスを確定することと、前記シンボルインデックスに従って、前記スケジューリングユニット上のチャネル又は信号用の系列群を確定することとを含む。
【００１２】
本開示の他実施例によれば、系列群の確定方法を更に提供しており、該方法は、チャネル又は信号が所在するスケジューリングユニットの複数のシンボルグループを取得することと、前記複数のシンボルグループに従って、前記スケジューリングユニット用の複数の系列群を取得することと、所定ルールに従って前記チャネル又は信号上で前記複数の系列群を使用することとを含む。
【００１３】
本開示の他実施例によれば、ＣＳの確定方法を更に提供しており、該方法は、第５の指定ＯＦＤＭシンボルのスケジューリングユニットにおけるシンボルインデックスを確定することと、前記シンボルインデックスに従って、前記スケジューリングユニット上のチャネル又は信号用のＣＳを確定することとを含む。
【００１４】
本開示の他実施例によれば、ＣＳの確定方法を更に提供しており、該方法は、チャネル又は信号が所在するスケジューリングユニットの複数のシンボルグループを取得することと、前記複数のシンボルグループに従って、前記スケジューリングユニット用の複数のＣＳを取得することと、所定ルールに従って前記チャネル又は信号上で前記複数のＣＳを使用することとを含む。
【００１５】
本開示の他実施例によれば、系列群の確定装置を更に提供しており、該装置は、第１の指定ＯＦＤＭシンボルのスケジューリングユニットにおけるシンボルインデックスを確定するように構成される第１の確定モジュールと、前記シンボルインデックスに従って、前記スケジューリングユニット上のチャネル又は信号用の系列群を確定するように構成される第２の確定モジュールとを含む。
【００１６】
本開示の他実施例によれば、系列群の確定装置を更に提供しており、該装置は、チャネル又は信号が所在するスケジューリングユニットの複数のシンボルグループを取得するように構成される第１の取得モジュールと、前記複数のシンボルグループに従って、前記スケジューリングユニット用の複数の系列群を取得するように構成される第２の取得モジュールと、所定ルールに従って前記チャネル又は信号上で前記複数の系列群を使用するように構成される第１の適用モジュールとを含む。
【００１７】
本開示の他実施例によれば、ＣＳの確定装置を更に提供しており、該装置は、第５の指定ＯＦＤＭシンボルのスケジューリングユニットにおけるシンボルインデックスを確定するように構成される第３の確定モジュールと、前記シンボルインデックスに従って、前記スケジューリングユニット上のチャネル又は信号用のＣＳを確定するように構成される第４の確定モジュールとを含む。
【００１８】
本開示の他実施例によれば、ＣＳの確定装置を更に提供しており、該装置は、チャネル又は信号が所在するスケジューリングユニットの複数のシンボルグループを取得するように構成される第３の取得モジュールと、前記複数のシンボルグループに従って、前記スケジューリングユニット用の複数のＣＳを取得するように構成される第４の取得モジュールと、所定ルールに従って前記チャネル又は信号上で前記複数のＣＳを使用するように構成される第２の適用モジュールとを含む。
【００１９】
本開示の他実施例によれば、記憶されたプログラムを含む記憶媒体を更に提供しており、前記プログラムが実行されるときに、上記系列群の確定方法を実行するか、或いは上記ＣＳの確定方法を実行する。
【００２０】
本開示の他実施例によれば、プログラムを実行するように構成されるプロセッサを更に提供しており、前記プログラムが実行されるときに、上記系列群の確定方法を実行するか、或いは上記ＣＳの確定方法を実行する。
【００２１】
本開示の実施例により、第１の指定ＯＦＤＭシンボルのスケジューリングユニットにおけるシンボルインデックスを取得し、該シンボルインデックスに従って、チャネル又は信号用の系列群を確定し、上記の技術案により、関連技術におけるチャネル又は信号用の系列群又はＣＳを確定できない問題を解決し、指定ＯＦＤＭのスケジューリングユニットにおけるシンボルインデックスに従って、チャネル又は信号用の系列群又はＣＳを確定することを実現する。
【図面の簡単な説明】
【００２２】
ここで説明される図面は、本開示に対する更なる理解を提供するために用いられ、本出願の一部に構成され、本開示の模式的な実施例及びその説明は本開示を説明するために用いられる。図面において、
【図１】図１は、本開示の実施例に係る系列群の確定方法のフローチャートである。
【発明を実施するための形態】
【００２３】
実施例１
本出願の実施例は、移動通信ネットワーク（５Ｇ移動通信ネットワークを含むがこれらに限定されない）を提供しており、該ネットワークのネットワークアーキテクチャは、ネットワーク側のデバイス（例えば、基地局）と端末とを含んでもよい。本実施例は、上記ネットワークアーキテクチャ上に実行できる情報伝送方法を提供しており、なお、本出願の実施例に係る上記情報伝送方法の実行環境は上記ネットワークアーキテクチャに限定されない。
【００２４】
本実施例は、上記ネットワークアーキテクチャに実行される系列群の確定方法を提供しており、図１は、本開示の実施例に係る系列群の確定方法のフローチャートであり、図１に示すように、該フローは、
第１の指定ＯＦＤＭシンボルのスケジューリングユニットにおけるシンボルインデックスを確定するステップＳ１０２と、
前記シンボルインデックスに従って、前記スケジューリングユニット上のチャネル又は信号用の系列群を確定するステップＳ１０４とを含む。
【００２５】
本開示の実施例において、第１の指定ＯＦＤＭシンボルのスケジューリングユニットにおけるシンボルインデックスを取得し、該シンボルインデックスに従って、チャネル又は信号用の系列群を確定し、上記の技術案により、関連技術におけるチャネル又は信号用の系列群又はＣＳを確定できない問題を解決し、指定ＯＦＤＭに従ってスケジューリングユニットにおけるシンボルインデックスにチャネル又は信号用の系列群又はＣＳを確定することを実現する。
【００２６】
一実施例において、上記ステップの実行主体は、基地局又は端末などであってもよいがこれらに限定されない。
【００２７】
一実施例において、前記チャネル又は信号における第２の指定ＯＦＤＭシンボルを前記第１の指定ＯＦＤＭシンボルとして確定する。
【００２８】
好ましくは、前記チャネル又は信号における１番目のＯＦＤＭシンボルを前記第２の指定ＯＦＤＭシンボルとして確定する。この好ましい実施例は後の適用実施例１に対応可能である。
【００２９】
好ましくは、前記チャネル又は信号は周波数ホッピングが発生した場合、前記方法は、１つの周波数ホッピングにおける第３の指定ＯＦＤＭシンボルのスケジューリングユニットにおけるシンボルインデックスにより、前記１つの周波数ホッピング用の系列群を確定することを更に含む。この好ましい実施例は後の適用実施例２に対応可能である。
【００３０】
一実施例において、前記周波数ホッピングにおける１番目のＯＦＤＭシンボルを前記第３の指定ＯＦＤＭシンボルとして確定する。
【００３１】
好ましくは、前記スケジューリングユニットにおける指定シンボルは、通信双方の基地局によって前記第２の指定ＯＦＤＭシンボルとして配置される。この好ましい実施例は後の適用実施例３に対応可能である。
【００３２】
一実施例において、前記スケジューリングユニットにおける指定シンボルは、通信双方の基地局によって前記第２の指定ＯＦＤＭシンボルとして配置されることは、複数のチャネル又は信号が多重される場合、前記基地局は、前記複数のチャネル又は信号が共通に多重されるＯＦＤＭシンボルのうちの１つを前記第２の指定ＯＦＤＭシンボルとして使用するように指示することを含む。
【００３３】
好ましくは、前記チャネル又は信号が複数のセグメントに分割された場合、前記シンボルインデックスに従って前記チャネル又は信号用の系列群を確定することは、各セグメントのチャネル又は信号上の１つのＯＦＤＭシンボルを該セグメントの第２の指定ＯＦＤＭシンボルとすることと、前記第２の指定ＯＦＤＭシンボルに対応するシンボルインデックスに従って、該セグメントのチャネル又は信号用の系列群を確定することとを含む。この好ましい実施例は後の適用実施例４に対応可能である。
【００３４】
好ましくは、前記方法は、前記チャネル又は信号における各ＯＦＤＭシンボルのスケジューリングユニットにおける対応するシンボルインデックスを確定することと、前記シンボルインデックスに従って、対応する前記各ＯＦＤＭシンボル用の系列群をそれぞれ確定することとを更に含む。この好ましい実施例は後の適用実施例６に対応可能である。
【００３５】
好ましくは、前記方法は、前記チャネル又は信号が所在するスケジューリングユニットにおける第４の指定上りＯＦＤＭシンボルを前記第１の指定ＯＦＤＭシンボルとして確定することを更に含む。この好ましい実施例は後の適用実施例５に対応可能である。
【００３６】
一実施例において、前記スケジューリングユニットにおける１番目の上りＯＦＤＭシンボルを前記第４の指定上りＯＦＤＭシンボルとして確定する。
【００３７】
一実施例において、前記チャネル又は信号は周波数ホッピングが発生したことを確定した場合、前記方法は、前記スケジューリングユニットにおける異なる上りＯＦＤＭシンボルのシンボルインデックスにより、異なる周波数ホッピング用の系列群を確定することを更に含む。
【００３８】
2021503840.tif 000003
【００３９】
好ましくは、前記チャネル又は信号は、ＰＵＣＣＨチャネルと、物理上り共用チャネル（ＰＵＳＣＨ）チャネルと、チャネルサウンディング参照（ＳＲＳ）信号と、ミニサブフレーム（ｍｉｎｉ−ｓｌｏｔ）と、非ｓｌｏｔに従ってｓｌｏｔでスケジューリングされたチャネル又は信号と、のうちの１つを含む。
【００４０】
本開示の他実施例によれば、系列群の確定方法を更に提供しており、該方法は、
チャネル又は信号が所在するスケジューリングユニットの複数のシンボルグループを取得するステップ１と、
前記複数のシンボルグループに従って、前記スケジューリングユニット用の複数の系列群を取得するステップ２と、
所定ルールに従って前記チャネル又は信号上で前記複数の系列群を使用するステップ３とを含む。
【００４１】
なお、この実施例は後の具体的な実施例１３に対応可能である。
【００４２】
一実施例において、前記チャネル又は信号は、ＰＵＣＣＨチャネルと、ＰＵＳＣＨチャネルと、ＳＲＳ信号と、ｍｉｎｉ−ｓｌｏｔと、非ｓｌｏｔに従ってｓｌｏｔでスケジューリングされたチャネル又は信号と、のうちの１つを含む。
【００４３】
本開示の他実施例によれば、ＣＳの確定方法を更に提供しており、該方法は、
第５の指定ＯＦＤＭシンボルのスケジューリングユニットにおけるシンボルインデックスを確定するステップ１と、
前記シンボルインデックスに従って、前記スケジューリングユニット上のチャネル又は信号用のＣＳを確定するステップ２とを含む。
【００４４】
一実施例において、前記チャネル又は信号における第６の指定ＯＦＤＭシンボルを前記第５の指定ＯＦＤＭシンボルとして確定する。
【００４５】
好ましくは、前記チャネル又は信号における１番目のＯＦＤＭシンボルを前記第６の指定ＯＦＤＭシンボルとして確定する。この好ましい実施例は後の適用実施例７に対応可能である。
【００４６】
好ましくは、前記チャネル又は信号は周波数ホッピングが発生した場合、前記方法は、１つの周波数ホッピングにおける第７の指定ＯＦＤＭシンボルのスケジューリングユニットにおけるシンボルインデックスにより、前記周波数ホッピング用のＣＳを確定することを更に含む。この好ましい実施例は後の適用実施例８に対応可能である。
【００４７】
一実施例において、前記周波数ホッピングにおける１番目のＯＦＤＭシンボルを前記第７の指定ＯＦＤＭシンボルとして確定する。
【００４８】
好ましくは、前記スケジューリングユニットにおける指定シンボルは、通信双方の基地局によって前記第６の指定ＯＦＤＭシンボルとして配置される。この好ましい実施例は後の適用実施例９に対応可能である。
【００４９】
一実施例において、前記スケジューリングユニットにおける指定シンボルは、通信双方の基地局によって前記第６の指定ＯＦＤＭシンボルとして配置されることは、複数のチャネル又は信号が多重される場合、前記基地局は、前記複数のチャネル又は信号が共通に多重されるＯＦＤＭシンボルのうちの１つを前記第６の指定ＯＦＤＭシンボルとして使用するように指示することを含む。
【００５０】
好ましくは、前記チャネル又は信号が複数のセグメントに分割された場合、前記シンボルインデックスに従って前記チャネル又は信号用のＣＳを確定することは、各セグメントのチャネル又は信号上の１つのＯＦＤＭシンボルを該セグメントの第６の指定ＯＦＤＭシンボルとすることと、前記第６の指定ＯＦＤＭシンボルに従って、該セグメントのチャネル又は信号用のＣＳを確定することとを含む。この好ましい実施例は後の適用実施例１０に対応可能である。
【００５１】
好ましくは、前記方法は、前記チャネル又は信号における各ＯＦＤＭシンボルのスケジューリングユニットにおける対応するシンボルインデックスを確定することと、前記シンボルインデックスに従って、対応する前記各ＯＦＤＭシンボル用のＣＳをそれぞれ確定することとを更に含む。この好ましい実施例は後の具体的な実施例１２に対応可能である。
【００５２】
好ましくは、前記方法は、前記チャネル又は信号が所在するスケジューリングユニットにおける第８の指定上りＯＦＤＭシンボルを前記第５の指定ＯＦＤＭシンボルとして確定することを更に含む。この好ましい実施例は後の適用実施例１１に対応可能である。
【００５３】
一実施例において、前記スケジューリングユニットにおける１番目の上りシンボルに対応するシンボルインデックスを前記第８の指定上りＯＦＤＭシンボルインデックスとして確定する。
【００５４】
一実施例において、前記チャネル又は信号は周波数ホッピングが発生したことを確定した場合、前記方法は、前記スケジューリングユニットにおける異なる上りシンボルのシンボルインデックスにより、異なる周波数ホッピング用のＣＳを確定することを更に含む。
【００５５】
2021503840.tif 000004
【００５６】
一実施例において、前記チャネル又は信号は、ＰＵＣＣＨチャネルと、ＰＵＳＣＨチャネルと、ＳＲＳ信号と、ｍｉｎｉ−ｓｌｏｔと、非ｓｌｏｔに従ってｓｌｏｔでスケジューリングされたチャネル又は信号と、のうちの１つを含む。
【００５７】
本開示の他実施例によれば、ＣＳの確定方法を更に提供しており、該方法は、
チャネル又は信号が所在するスケジューリングユニットの複数のシンボルグループを取得するステップ１と、
前記複数のシンボルグループに従って、前記スケジューリングユニット用の複数のＣＳを取得するステップ２と、
所定ルールに従って前記チャネル又は信号上で前記複数のＣＳを使用するステップ３とを含む。
【００５８】
なお、この好ましい実施例は後の適用実施例１３に対応可能である。
【００５９】
好ましくは、前記チャネル又は信号は、ＰＵＣＣＨチャネルと、ＰＵＳＣＨチャネルと、ＳＲＳ信号と、ｍｉｎｉ−ｓｌｏｔと、非ｓｌｏｔに従ってｓｌｏｔでスケジューリングされたチャネル又は信号と、のうちの１つを含む。
【００６０】
以下、本開示の適用実施例を参照しながら詳細に説明する。
【００６１】
本開示の適用実施例は、下記の１４つの具体的な実施例を含み、以下の通りである。
【００６２】
適用実施例１
ＰＵＣＣＨの系列群はその開始シンボルのｓｌｏｔにおけるシンボル位置によって算出された系列群であり、該系列群は該ＰＵＣＣＨ（各周波数ホッピングを含む）として使用されることを説明する。
【００６３】
１つのスケジューリングユニット（例えば、１つのｓｌｏｔ、以下はｓｌｏｔを例にとって説明する）に番号が０〜１３の１４つのＯＦＤＭシンボルが含まれる。１つのユーザデバイス（ＵＥ）のＰＵＣＣＨは開始シンボルがシンボル２であり、１０つのシンボルを連続するように配置され、つまり、このＰＵＣＣＨ用のシンボルはシンボル２〜シンボル１１であると仮定する。ここで、それが周波数ホッピングの有無に拘らない。ＰＵＣＣＨのｓｌｏｔにおける開始シンボルは変化しているものであり、且つ連続するシンボル数も配置されたものであるため、ＰＵＣＣＨの周波数ホッピング位置も変化している。
【００６４】
2021503840.tif 000005
【００６５】
2021503840.tif 000006
【００６６】
適用実施例２
周波数ホッピングのＰＵＣＣＨについては、ＰＵＣＣＨの各周波数ホッピングの系列群は、その各周波数ホッピング（ｈｏｐ）の開始シンボルのｓｌｏｔにおけるシンボル位置によって算出された系列群であり、該系列群は該ＰＵＣＣＨの周波数ホッピングとして使用されることを説明する。
【００６７】
ＰＵＣＣＨのｓｌｏｔにおける開始シンボルは変化しているものであり、且つ連続するシンボル数も配置されたものであるため、ＰＵＣＣＨの周波数ホッピング位置も変化しており、本具体的な実施例において、周波数ホッピングのＰＵＣＣＨについては、各周波数ホッピングの１番目のシンボルのｓｌｏｔにおけるシンボル位置によって系列群を算出する。
【００６８】
１つのｓｌｏｔに番号が０〜１３の１４つのＯＦＤＭシンボルが含まれる。１つのＵＥのＰＵＣＣＨは開始シンボルがシンボル２であり、１０つのシンボルを連続するように配置され、つまり、このＰＵＣＣＨ用のシンボルはシンボル２〜シンボル１１であり、且つ周波数ホッピングし、周波数ホッピングパターンは５／５周波数ホッピングであり、即ち、最初の５つのシンボルは１つの周波数ホッピングであり、最後の５つのシンボルは１つの周波数ホッピングであると仮定し、このようにｓｌｏｔに対応し、即ち、該ＰＵＣＣＨの周波数ホッピングシンボルはシンボル６とシンボル７との間にある。
【００６９】
2021503840.tif 000007
【００７０】
適用実施例３
ＰＵＣＣＨの系列群については、そのあるシンボルのｓｌｏｔにおけるシンボル位置によって使用する系列群を算出してＰＵＣＣＨ全体のために使用されることができる。前記あるシンボルのｓｌｏｔにおけるシンボル位置は基地局により配置されてもよい。
【００７１】
ここで、あるシンボルによってＰＵＣＣＨ用の系列群を算出する主な目的は、可能な柔軟な多重をサポートすることにある。例えば、１つのＰＵＣＣＨは１０つのシンボルを有し、他のＰＵＣＣＨは６つのシンボルを有し、ここでいずれも周波数ホッピング（周波数ホッピングすれば、以下に説明される原理は変化しない）しないと仮定する。この時、６つのシンボルのＰＵＣＣＨは１０つのシンボルのＰＵＣＣＨの最後の６つのシンボルに使用される同じリソースに多重され、ＣＳ又は直交カバーコード（Ｏｒｔｈｏｇｏｎａｌ  Ｃｏｖｅｒ  Ｃｏｄｅ，ＯＣＣと略称する）と組み合わせる方式で多重され、この時、この２つのＰＵＣＣＨは多重された６つのシンボルに同じ系列群を有する必要があるため、この時、１０つのシンボルのＰＵＣＣＨの系列群は多重された６つのシンボルにおける１番目のシンボルのｓｌｏｔにおけるシンボル位置を用いて計算（計算方法は適用実施例１と同じである）する。６つのシンボルのＰＵＣＣＨの系列群は該ＰＵＣＣＨの１番目のシンボルのｓｌｏｔにおけるシンボル位置によって計算（この時、あるシンボルは該ＰＵＣＣＨの１番目のシンボルとして定義されると理解してもよい）する。このように、多重された２つのＰＵＣＣＨが同じ系列群（多重された６つのシンボルにおける系列群が同じである必要があり、１０つのシンボルのＰＵＣＣＨの最初の４つのシンボルに使用される系列群は最後の６つのシンボルと同じである系列群を使用してもよく、該ＰＵＣＣＨの１番目のシンボルのｓｌｏｔにおけるシンボル位置を用いて計算してもよい）を使用することが保証される。
【００７２】
ここでいうあるシンボルは基地局により配置され、例えば、基地局は１０つのシンボルのＵＥに対して上記の多重方式を採用すると予想し、基地局は該ＵＥにそのＰＵＣＣＨの系列群が該１０つのシンボルにおける５番目シンボルにより計算（実際の計算時に、前記５番目のシンボルをそれがｓｌｏｔにおけるシンボル位置に換算する必要がある）することを通知できる。その後、基地局とＵＥとは適用実施例１における等式１及び２から系列群を算出する。具体的な計算については説明を省略する。
【００７３】
適用実施例４
ＰＵＣＣＨについて、その系列群はあるシンボルのｓｌｏｔにおけるシンボル位置から算出できる系列群であり、該系列群は、前記あるシンボルから新たな系列群（この新たな系列群は他のシンボルのｓｌｏｔにおけるシンボル位置により算出される）があるまで連続に使用される。
【００７４】
ここで実際に適用実施例３と類似する。
【００７５】
例えば、１つの１２つのシンボルのＰＵＣＣＨ（ＰＵＣＣＨ１と記す）は分割されて３つのＰＵＣＣＨ（それぞれがＰＵＣＣＨ２、ＰＵＣＣＨ３、ＰＵＣＣＨ４と記す）と多重され、各ＰＵＣＣＨは４つのシンボルを有する。例えば、ＰＵＣＣＨ２とＰＵＣＣＨ１とはＰＵＣＣＨ１の最初の４つのシンボルに多重され、ＰＵＣＣＨ３とＰＵＣＣＨ１とはＰＵＣＣＨ１の真ん中の４つのシンボルに多重され、ＰＵＣＣＨ４とＰＵＣＣＨ１とはＰＵＣＣＨ１の最後の４つのシンボルに多重される。多重されたＰＵＣＣＨは多重されたシンボルに同じ系列群を使用する必要がある。続いて、この時、ＰＵＣＣＨ１の系列群はそれぞれ３セグメントで計算し、第１のセグメントの系列群を計算するときにＰＵＣＣＨ１の１番目のシンボルのｓｌｏｔにおけるシンボル位置により計算でき、該系列群はＰＵＣＣＨ１の最初の４つのシンボルに使用される。ＰＵＣＣＨ１の真ん中の４つのシンボルの系列群はＰＵＣＣＨ１の５番目のシンボルのｓｌｏｔにおけるシンボル位置により算出され、該系列群はＰＵＣＣＨ１の真ん中の４つのシンボル（ＰＵＣＣＨ１の５番目のシンボル〜８番目のシンボル）に使用される。ＰＵＣＣＨ１の最後の４つのシンボルの系列群はＰＵＣＣＨ１の９番目のシンボルのｓｌｏｔにおけるシンボル位置により算出され、該系列群はＰＵＣＣＨ１の最後の４つのシンボルに使用される。
【００７６】
ＰＵＣＣＨ２、ＰＵＣＣＨ３及びＰＵＣＣＨ４の系列群はそれぞれの１番目のシンボルのｓｌｏｔにおけるシンボル位置により算出される。
【００７７】
このように、適用実施例１における等式１及び２からそれぞれＰＵＣＣＨ１の異なるセグメントの系列群を算出できる。本適用実施例で例示された具体的なデータは他の合理的なデータに置き換えてもよく、上位の記載を採用してもよい。
【００７８】
適用実施例５
ＰＵＣＣＨの系列群は該ＰＵＣＣＨが所在するｓｌｏｔにおけるある上りシンボル位置により算出される系列群であり、該系列群は該ＰＵＣＣＨ（各周波数ホッピングを含む）として使用されることを説明する。
【００７９】
2021503840.tif 000008
【００８０】
さらに、系列群は異なる周波数ホッピング間に変化すると要求される場合、この時、以上に得られた系列群はＰＵＣＣＨの１番目の周波数ホッピングに使用される。更にｓｌｏｔにおける第２の上りシンボル位置から算出された系列群は該ＰＵＣＣＨ２番目の周波数ホッピングに使用される。
【００８１】
ＮＲシステムにおいて、ＵＥは関連するシグナリングによってｓｌｏｔタイプにおけるシンボルの属性を取得可能である。
【００８２】
適用実施例６
ＰＵＣＣＨの系列群は該ＰＵＣＣＨの各シンボルのｓｌｏｔにおけるシンボル位置によってＰＵＣＣＨの各シンボルにおける系列群を算出することを説明し、ここでＰＵＣＣＨの周波数ホッピングの有無に拘らない。
【００８３】
本適用実施例において、例えば、５つのシンボルのＰＵＣＣＨはｓｌｏｔに一部のシンボルを使用し、ｓｌｏｔのシンボル２からｓｌｏｔのシンボル６までと仮定すると、該ＰＵＣＣＨの系列群はシンボルにより算出され、各シンボルはいずれも異なる系列群を有してもよい。例えば、このＰＵＣＣＨの１番目のシンボルから５番目のシンボルがそれぞれ使用する系列群はｓｌｏｔにおけるシンボル２〜シンボル６によってそれぞれ算出される。
【００８４】
このように、ＰＵＣＣＨの各シンボル用の系列群はいずれも異なり、且つＰＵＣＣＨの各シンボルのｓｌｏｔにおけるシンボル位置により算出される。
【００８５】
具体的な計算は適用実施例１における等式１及び２を使用可能である。
【００８６】
ここで、ｓｌｏｔにおけるシンボルをグループ化し、各グループの１番目のシンボルのｓｌｏｔにおけるシンボルによって該シンボルグループに使用される系列群を計算可能である。このように、１つのＰＵＣＣＨについて、該ＰＵＣＣＨのシンボルはどのシンボルグループに入ると、該ＰＵＣＣＨのシンボルは当該シンボルグループに対応する系列群を使用する。例えば、ｓｌｏｔにおけるシンボルは７グループに分け、各グループに２つのシンボルがあり、ｓｌｏｔにおけるシンボル０と１とは１番目のシンボルグループであり、シンボル２と３とは２番目のシンボルグループであり、シンボル４と５とは３番目のシンボルグループであり、…。１つのＰＵＣＣＨには、開始シンボルとしてのｓｌｏｔにおけるシンボル０からシンボル７まで連続する８つのシンボルが含まれると、この時、該ＰＵＣＣＨの最初の２つのシンボルの系列群はｓｌｏｔにおける１番目のシンボルグループにより算出された系列群であり、順次に、ＰＵＣＣＨの更なる２つのシンボルの系列群はｓｌｏｔにおける２番目のシンボルグループにより算出された系列群であり、ＰＵＣＣＨの更なる２つのシンボルの系列群はｓｌｏｔにおける３番目のシンボルグループにより算出された系列群であり、ＰＵＣＣＨの更なる２つのシンボルの系列群はｓｌｏｔにおける４番目のシンボルグループにより算出された系列群である。
【００８７】
適用実施例７
2021503840.tif 000009
【００８８】
基本的な思想は適用実施例１と類似し、ただ計算の具体的方法と計算の対象は異なる。
【００８９】
2021503840.tif 000010
【００９０】
2021503840.tif 000011
【００９１】
2021503840.tif 000012
【００９２】
適用実施例８
2021503840.tif 000013
【００９３】
基本的な思想は適用実施例２と類似し、ただ計算の具体的方法と計算の対象は異なる。
【００９４】
該適用実施例はＰＵＣＣＨの各周波数ホッピングによって各周波数ホッピングに使用されるＣＳをそれぞれ算出することを指示する。例えば、１つのＰＵＣＣＨはｓｌｏｔのシンボル２〜シンボル９の８つのシンボルを有し、且つ周波数ホッピングし、１番目の周波数ホッピングは最初の４つのシンボルであり、２番目の周波数ホッピングは最後の４つのシンボル（つまり、周波数ホッピング位置はｓｌｏｔのシンボル５とシンボル６との間にある）である。
【００９５】
2021503840.tif 000014
【００９６】
適用実施例９
2021503840.tif 000015
【００９７】
基本的な思想は適用実施例３と類似し、ただ計算の具体的方法と計算の対象は異なる。
【００９８】
ここで、あるシンボルによってＰＵＣＣＨ用の系列群を算出する主な目的は、可能な柔軟な多重をサポートすることにある。例えば、１つのＰＵＣＣＨは１０つのシンボルを有し、他のＰＵＣＣＨは６つのシンボルを有し、ここでいずれも周波数ホッピング（周波数ホッピングすれば、以下に説明される原理は変化しない）しないと仮定する。この時、６つのシンボルのＰＵＣＣＨは１０つのシンボルのＰＵＣＣＨの最後の６つのシンボルに使用される同じリソースに多重され、ＣＳ又はＯＣＣと組み合わせる方式で多重され、この時、この２つのＰＵＣＣＨは多重された６つのシンボルに対応するＣＳを有する必要があるため、この時、１０つのシンボルのＰＵＣＣＨのＣＳは多重された６つのシンボルにおける１番目のシンボルのｓｌｏｔにおけるシンボル位置を用いて計算（計算方法は具体的な実施例７と同じである）する。６つのシンボルのＰＵＣＣＨのＣＳは該ＰＵＣＣＨの１番目のシンボルのｓｌｏｔにおけるシンボル位置により計算（この時、あるシンボルは該ＰＵＣＣＨの１番目のシンボルとして定義されると理解してもよい）する。このように、多重された２つのＰＵＣＣＨが対応するＣＳを有することが保証される。
【００９９】
ここでいうあるシンボルは基地局により配置され、例えば、基地局は１０つのシンボルのＵＥに対して上記の多重方式を採用すると予想し、基地局はこのＵＥにそのＰＵＣＣＨのＣＳが該１０つのシンボルにおける５番目のシンボルにより計算（実際の計算時に、前記５番目のシンボルをそれがｓｌｏｔにおけるシンボル位置に換算する）することを通知できる。その後、基地局とＵＥとは具体的な実施例７における等式３及び４からＣＳを算出する。具体的な計算については説明を省略する。
【０１００】
適用実施例１０
2021503840.tif 000016
【０１０１】
基本的な思想は適用実施例４と類似し、ただ計算の具体的方法と計算の対象は異なる。
【０１０２】
例えば、１つの１２つのシンボルのＰＵＣＣＨ（ＰＵＣＣＨ１と記す）は分割されて３つのＰＵＣＣＨ（それぞれがＰＵＣＣＨ２、ＰＵＣＣＨ３、ＰＵＣＣＨ４と記す）と多重され、各ＰＵＣＣＨは４つのシンボルを有する。例えば、ＰＵＣＣＨ２とＰＵＣＣＨ１とはＰＵＣＣＨ１の最初の４つのシンボルに多重され、ＰＵＣＣＨ３とＰＵＣＣＨ１とはＰＵＣＣＨ１の真ん中の４つのシンボルに多重され、ＰＵＣＣＨ４とＰＵＣＣＨ１とはＰＵＣＣＨ１の最後の４つのシンボルに多重される。多重されたＰＵＣＣＨは多重されたシンボルにＣＳを使用する必要がある。続いて、この時、ＰＵＣＣＨ１のＣＳはそれぞれ３セグメントで計算し、第１のセグメントのＣＳを計算するときにＰＵＣＣＨ１の１番目のシンボルのｓｌｏｔにおけるシンボル位置により計算でき、該ＣＳはＰＵＣＣＨ１の最初の４つシンボルに使用される。ＰＵＣＣＨ１の真ん中の４つのシンボルのＣＳはＰＵＣＣＨ１の５番目のシンボル（つまり、各セグメントの１番目のシンボル）のｓｌｏｔにおけるシンボル位置により算出され、該ＣＳはＰＵＣＣＨ１の真ん中の４つのシンボル（ＰＵＣＣＨ１の５番目のシンボル〜８番目のシンボル）に使用される。ＰＵＣＣＨ１の最後の４つのシンボルのＣＳはＰＵＣＣＨ１の９番目のシンボルのｓｌｏｔにおけるシンボル位置により算出され、該ＣＳはＰＵＣＣＨ１の最後の４つのシンボルに使用される。
【０１０３】
ＰＵＣＣＨ２、ＰＵＣＣＨ３及びＰＵＣＣＨ４のＣＳはそれぞれの１番目のシンボルのｓｌｏｔにおけるシンボル位置により算出される。
【０１０４】
このように、適用実施例７における等式３及び４からそれぞれＰＵＣＣＨ１の異なるセグメントのＣＳを算出できる。本具体的な実施例に例示された具体的なデータは他の合理的なデータに置き換えてもよく、上位の記載を採用してもよい。
【０１０５】
適用実施例１１
2021503840.tif 000017
【０１０６】
基本的な思想は適用実施例５と類似し、ただ計算の具体的方法と計算の対象は異なる。
【０１０７】
2021503840.tif 000018
【０１０８】
さらに、ＣＳは異なる周波数ホッピングの間に変化すると要求される場合、この時、以上に得られたＣＳはＰＵＣＣＨの１番目の周波数ホッピングに使用される。更にｓｌｏｔにおける第２の上りシンボル位置から算出されたＣＳは該ＰＵＣＣＨの２番目の周波数ホッピングに使用される。
【０１０９】
ＮＲシステムにおいて、ＵＥは関連するシグナリングによってｓｌｏｔタイプにおけるシンボルの属性を取得可能である。
【０１１０】
適用実施例１２
2021503840.tif 000019
【０１１１】
基本的な思想は適用実施例６と類似し、ただ計算の具体的方法と計算の対象は異なる。
【０１１２】
本適用実施例において、例えば、５つのシンボルのＰＵＣＣＨはｓｌｏｔに一部のシンボルを使用し、ｓｌｏｔのシンボル２からｓｌｏｔのシンボル６までと仮定すると、該ＰＵＣＣＨのＣＳはシンボルにより算出され、各シンボルはいずれも異なるＣＳを有してもよい。例えば、このＰＵＣＣＨの１番目のシンボルから５番目のシンボルはそれぞれ使用されるＣＳはｓｌｏｔにおけるシンボル２〜シンボル６によってそれぞれ算出される。
【０１１３】
このように、ＰＵＣＣＨの各シンボル用のＣＳは異なり、且つＰＵＣＣＨの各シンボルのｓｌｏｔにおけるシンボル位置により算出される。具体的な計算は適用実施例７における等式３及び４を使用可能である。
【０１１４】
ここで、ｓｌｏｔにおけるシンボルをグループ化し、各グループの１番目のシンボルのｓｌｏｔにおけるシンボル位置によって該シンボルグループに使用されるＣＳを計算可能である。このように、１つのＰＵＣＣＨについて、該ＰＵＣＣＨのシンボルはどのシンボルグループに入ると、該ＰＵＣＣＨのシンボルは当該シンボルグループに対応するＣＳを使用する。例えば、ｓｌｏｔにおけるシンボルを７グループに分け、各グループに２つのシンボルがあり、ｓｌｏｔにおけるシンボル０と１とは１番目のシンボルグループであり、シンボル２と３とは２番目のシンボルグループであり、シンボル４と５とは３番目のシンボルグループであり、…。１つのＰＵＣＣＨには、開始シンボルとしてのｓｌｏｔにおけるシンボル０からシンボル７まで連続する８つのシンボルが含まれると、この時、該ＰＵＣＣＨの最初の２つのシンボルのＣＳはｓｌｏｔにおける１番目のシンボルグループにより算出されたＣＳであり、順次に、ＰＵＣＣＨの更なる２つのシンボルのＣＳはｓｌｏｔにおける２番目のシンボルグループにより算出されたＣＳであり、ＰＵＣＣＨの更なる２つのシンボルのＣＳはｓｌｏｔにおける３番目のシンボルグループにより算出されたＣＳであり、ＰＵＣＣＨの更なる２つのシンボルのＣＳはｓｌｏｔにおける４番目のシンボルグループにより算出されたＣＳである。
【０１１５】
適用実施例１３
以下、チャネル又は信号の系列群又はＣＳを確定するように送信端（基地局）又は受信端（ＵＥ）により使用可能である方法を提供する。例えば、上り又は下り物理チャネル又は信号を確定する方法は、具体的に以下の通りである（ＰＵＣＣＨ用の系列群の確定を例にとって説明する）。
無線フレームの各スケジューリングユニットにおける最初の７つのシンボルと最後の７つのシンボルをそれぞれ番号付け（或いは、無線フレームに１番目のシンボルから、７つのシンボルごとに１つの番号付け、ＮＲにおける各スケジューリングユニットは１４つのシンボルを有する）、番号は０から開始し、且つ無線フレームにおける１番目のｓｌｏｔにおける１番目の７つのシンボルである。番号はＫｓと記す。その後、Ｋｓによって各Ｋｓに対応する系列群を算出し、このように各スケジューリングユニットから２つの系列群を取得する。ＵＥは１つのスケジューリングユニットに１つだけのＰＵＣＣＨを有し、且つ周波数変調しないときに、各スケジューリングユニットから取得された１番目の又は２番目の系列群をＵＥの該スケジューリングユニットにおけるＰＵＣＣＨに適用し、具体的にはどの系列群に適用するかは基地局とＵＥにより事前に約定されるか、或いは基地局によってＵＥに指示される。
【０１１６】
ＵＥは１つのスケジューリングユニットに１つだけのＰＵＣＣＨを有し、且つ周波数変調するときに、各スケジューリングユニットから取得された１番目の（又は２番目の）系列群をＵＥの該スケジューリングユニットにおけるＰＵＣＣＨの１番目の周波数ホッピングに適用し、各スケジューリングユニットから取得された２番目の（又は１番目の）系列群を前記ＵＥの該スケジューリングユニットにおけるＰＵＣＣＨの２番目の周波数ホッピングに適用する。ＵＥは該スケジューリングユニットに複数のＰＵＣＣＨを有し、いずれも周波数ホッピングすると、上記方式は各ＰＵＣＣＨとして使用可能である。
【０１１７】
ＵＥは該スケジューリングユニットに複数のＰＵＣＣＨを有し、且ついずれも周波数ホッピングしないと、該スケジューリングユニットから取得された１番目の系列群を前記ＵＥの該スケジューリングユニットにおけるすべての奇数（又は偶数）のＰＵＣＣＨ（符号は０から開始し）に適用し、該スケジューリングユニットから取得された２番目の系列群を前記ＵＥの該スケジューリングユニットにおけるすべての偶数（又は奇数）のＰＵＣＣＨ（符号は０から開始し）適用する。
【０１１８】
ＵＥは該スケジューリングユニットに複数のＰＵＣＣＨを有し、且ついずれも周波数ホッピングしないと、該スケジューリングユニットから取得された１番目の系列群を、前記ＵＥの該スケジューリングユニットにおける各ＰＵＣＣＨの周波数ホッピングするときの１番目の周波数ホッピングに対応するシンボルに適用し、該スケジューリングユニットから取得された２番目の系列群を、前記ＵＥの該スケジューリングユニットにおける各ＰＵＣＣＨの周波数ホッピングするときの２番目の周波数ホッピングに対応するシンボルに適用する。
【０１１９】
具体的には、Ｋｓの計算等式を用いて以下の通りである。
2021503840.tif 000020
【０１２０】
2021503840.tif 000021
【０１２１】
適用実施例１４
本具体的な実施例１４は、異なるＵＥの上り制御情報とＤＭＲＳとの間の多重問題を解決する方法を提供する。例えば、ＵＥ１の上り制御情報とＵＥ２のＤＭＲＳとの多重問題である。上り制御情報は、ＡＣＫ／ＮＡＣＫ、ＳＲ及びいくつかのチャネル測定情報を含んでもよい。上り制御情報は、物理上り制御チャネルＰＵＣＣＨによりキャリア可能であり、このように本実施例は異なるＵＥのＰＵＣＣＨの多重問題を更に解決してもよい。
【０１２２】
ＵＥ１にＵＥ１のＡＣＫ又はＮＡＣＫをキャリアするための１つのサイクリックシフトＣＳ０（１つの系列は異なるＣＳを有し、例えば、系列長さは１２であると、１２つのサイクリックシフトを有し、ＣＳ０〜ＣＳ１１と記す。ここでのＣＳ番号は一例にすぎず、他のＣＳ値を使用してもよく、以下も同様である）を割り当て、ＵＥ１にＵＥ１のＤＭＲＳをキャリアするためのＣＳ８を割り当て、ＵＥ１にＵＥ１のＡＣＫ／ＮＡＣＫ及びＳＲをキャリアするためのＣＳ４を割り当てる。具体的には、ＵＥ１はＡＣＫ又はＮＡＣＫのみを伝送するときに、ＣＳ０を用いて対応するＡＣＫ又はＮＡＣＫ情報をＣＳ０で送信するように変調する。ＵＥ１はＡＣＫ又はＮＡＣＫを伝送するとともにＳＲリクエストするときに、例えば、「１」を用いて表示し、この時、「１」をＣＳ４で送信するように変調する。ＵＥ１はＡＣＫ又はＮＡＣＫを伝送すると同時にＳＲリクエストしないときに、例えば、「０」を用いて表示し、この時、「０」をＣＳ４で送信するように変調する（まず、０を変調により−１に変更してからＣＳに変調する）。
【０１２３】
ＵＥ２について類似な処理を行い、ＣＳ０、ＣＳ４及びＣＳ８も同じ意味を示す。
【０１２４】
ＵＥ１とＵＥ２のＰＵＣＣＨ又は上り制御情報とＤＭＲＳとの多重は、同じ時間周波数リソースでは、第１のシンボルにおいて、ＵＥ１は上り制御情報のＣＳ（例えば、ＵＥ１のＣＳ０又はＣＳ４）を送信すると同時に、該シンボルにおいてＵＥ２はＤＭＲＳを送信することであり、第２のシンボルにおいて、ＵＥ２は上り制御情報のＣＳ（例えば、ＵＥ２のＣＳ０又はＣＳ４）を送信すると同時に、該シンボルにおいてＵＥ１はＤＭＲＳを送信することである。
【０１２５】
このように、あるシンボルにおいて、ＵＥ１の上り制御情報とＵＥ２のＤＭＲＳとは、異なるＣＳにより多重される。他のシンボルにおいて、ＵＥ１のＤＭＲＳとＵＥ２の上り制御情報とは、異なるＣＳにより多重される。２つのＵＥがあるときに、１つのシンボルに３つのＣＳ（上記の例のように）を有する必要があり、このように、系列の長さは１２であると、３つのＣＳの間隔は最大で４であってもよい。より多くのＵＥがあるときに、上記の方法を依然として使用でき、同一のシンボルにおいて、少なくとも１つのＵＥのＤＭＲＳと他の少なくとも１つのＵＥの上り制御情報を有する。他の同一のシンボルにおいて、少なくとも１つのＵＥの上り制御情報と他の少なくとも１つのＵＥのＤＭＲＳを有する。これらは、異なるＣＳによって同じリソースに多重される。
【０１２６】
上記の内容から分かるように、異なるＵＥの上り制御情報とＤＭＲＳとが多重されたＯＦＤＭシンボルにおいて、いくつかのシンボルにおける少なくとも１つのＵＥ１のＤＭＲＳと他の少なくとも１つのＵＥ２の上り制御情報は、ＣＳによって同じリソースに多重され、他のシンボルにおける少なくとも１つのＵＥ２のＤＭＲＳと他の少なくとも１つのＵＥ１の上り制御情報は、ＣＳによって同じリソースに多重される。上り制御情報は、ＡＣＫ、ＮＡＣＫ及びＳＲのうちの１つを含む。これらはＣＳに変調することでキャリアする。
【０１２７】
上記の実施形態の説明を通じて、当業者は、上記の実施例による方法がソフトウェア及び必要な一般的なハードウェアプラットフォームにより実現可能であり、もちろん、ハードウェアによりも実現可能であることを明確に理解できるが、多くの場合、前者はより良い実施形態である。このような理解に基づいて、本開示の技術案は、本質的に又は従来の技術に寄与する一部は、ソフトウェア製品の形で具体化でき、該コンピュータソフトウェア製品は、１つの記憶媒体（例えば、ＲＯＭ／ＲＡＭ、磁気ディスク、光ディスク）に記憶され、１つの端末デバイス（携帯電話、コンピュータ、サーバ、又はネットワークデバイスなどであってもよい）が本開示の各実施例に記載された方法を実行するようにいくつかの指令を含む。
【０１２８】
実施例２
本実施例において、系列群の確定装置を更に提供しており、該装置は上記実施例及び具体的実施形態を実現するように配置され、すでに説明されたがここで繰り返されない。以下で使用されるように、「モジュール」という用語は、所定の機能を実行できるソフトウェア及び／又はハードウェアの組み合わせである。以下の実施例で説明される装置は、好ましくはソフトウェアで実現されるが、ハードウェア又はソフトウェアとハードウェアの組み合わせの実現も可能であり、この実現も考慮されている。
【０１２９】
本開示の１つの実施例によれば、系列群の確定装置を更に提供しており、該装置は、
第１の指定ＯＦＤＭシンボルのスケジューリングユニットにおけるシンボルインデックスを確定するように構成される第１の確定モジュールと、
前記シンボルインデックスに従って、前記スケジューリングユニット上のチャネル又は信号用の系列群を確定するように構成される第２の確定モジュールとを含む。
【０１３０】
好ましくは、前記チャネル又は信号における第２の指定ＯＦＤＭシンボルを前記第１の指定ＯＦＤＭシンボルとして確定する。
【０１３１】
好ましくは、前記チャネル又は信号における１番目のＯＦＤＭシンボルを前記第２の指定ＯＦＤＭシンボルとして確定する。
【０１３２】
好ましくは、前記チャネル又は信号は周波数ホッピングが発生した場合、前記方法は、１つの周波数ホッピングにおける第３の指定ＯＦＤＭシンボルのスケジューリングユニットにおけるシンボルインデックスにより、前記１つの周波数ホッピング用の系列群を確定することを更に含む。
【０１３３】
好ましくは、前記周波数ホッピングにおける１番目のＯＦＤＭシンボルを前記第３の指定ＯＦＤＭシンボルとして確定する。
【０１３４】
好ましくは、前記スケジューリングユニットにおける指定シンボルは、通信双方の基地局によって前記第２の指定ＯＦＤＭシンボルとして配置される。
【０１３５】
好ましくは、前記スケジューリングユニットにおける指定シンボルは、通信双方の基地局によって前記第２の指定ＯＦＤＭシンボルとして配置されることは、複数のチャネル又は信号が多重される場合、前記基地局は、前記複数のチャネル又は信号が共通に多重されるＯＦＤＭシンボルのうちの１つを前記第２の指定ＯＦＤＭシンボルとして使用するように指示することを含む。
【０１３６】
好ましくは、前記チャネル又は信号が複数のセグメントに分割された場合、前記シンボルインデックスに従って前記チャネル又は信号用の系列群を確定することは、各セグメントのチャネル又は信号上の１つのＯＦＤＭシンボルを該セグメントの第２の指定ＯＦＤＭシンボルとすることと、前記第２の指定ＯＦＤＭシンボルに対応するシンボルインデックスに従って、該セグメントのチャネル又は信号用の系列群を確定することとを含む。
【０１３７】
好ましくは、前記第１の確定モジュールは、前記チャネル又は信号における各ＯＦＤＭシンボルのスケジューリングユニットにおける対応するシンボルインデックスを確定するように構成され、前記第２の確定モジュールは、前記シンボルインデックスに従って、対応する前記各ＯＦＤＭシンボル用の系列群をそれぞれ確定するように構成される。
【０１３８】
好ましくは、前記第２の確定モジュールは、更に、前記チャネル又は信号が所在するスケジューリングユニットにおける第４の指定上りＯＦＤＭシンボルを前記第１の指定ＯＦＤＭシンボルとして確定するように構成される。
【０１３９】
好ましくは、前記第２の確定モジュールは、更に、前記スケジューリングユニットにおける１番目の上りＯＦＤＭシンボルを前記第４の指定上りＯＦＤＭシンボルとして確定するように構成される。
【０１４０】
好ましくは、前記チャネル又は信号は周波数ホッピングが発生したことを確定した場合、前記第２の確定モジュールは、更に、前記スケジューリングユニットにおける異なる上りＯＦＤＭシンボルのシンボルインデックスにより、異なる周波数ホッピング用の系列群を確定するように構成される。
【０１４１】
本開示の一実施例によれば、系列群の確定装置を更に提供しており、該装置は、
チャネル又は信号が所在するスケジューリングユニットの複数のシンボルグループを取得するように構成される第１の取得モジュールと、
前記複数のシンボルグループに従って、前記スケジューリングユニット用の複数の系列群を取得するように構成される第２の取得モジュールと、
所定ルールに従って前記チャネル又は信号上で前記複数の系列群を使用するように構成される第１の適用モジュールとを含む。
【０１４２】
本開示の一実施例によれば、ＣＳの確定装置を更に提供しており、該装置は、
第５の指定ＯＦＤＭシンボルのスケジューリングユニットにおけるシンボルインデックスを確定するように構成される第３の確定モジュールと、
前記シンボルインデックスに従って、前記スケジューリングユニット上のチャネル又は信号用のＣＳを確定するように構成される第４の確定モジュールとを含む。
【０１４３】
好ましくは、前記第４の確定モジュールは、更に、前記チャネル又は信号における第６の指定ＯＦＤＭシンボルを前記第５の指定ＯＦＤＭシンボルとして確定するように構成される。
【０１４４】
好ましくは、前記第４の確定モジュールは、更に、前記チャネル又は信号における１番目のＯＦＤＭシンボルを前記第６の指定ＯＦＤＭシンボルとして確定するように構成される。
【０１４５】
好ましくは、前記チャネル又は信号は周波数ホッピングが発生した場合、前記第４の確定モジュールは、更に、１つの周波数ホッピングにおける第７の指定ＯＦＤＭシンボルのスケジューリングユニットにおけるシンボルインデックスにより、前記周波数ホッピング用のＣＳを確定するように構成される。
【０１４６】
好ましくは、前記第４の確定モジュールは、更に、前記周波数ホッピングにおける１番目のＯＦＤＭシンボルを前記第７の指定ＯＦＤＭシンボルとして確定するように構成される。
【０１４７】
好ましくは、前記スケジューリングユニットにおける指定シンボルは、通信双方の基地局によって前記第６の指定ＯＦＤＭシンボルとして配置される。
【０１４８】
好ましくは、前記スケジューリングユニットにおける指定シンボルは、通信双方の基地局によって前記第６の指定ＯＦＤＭシンボルとして配置されることは、複数のチャネル又は信号が多重される場合、前記基地局は、前記複数のチャネル又は信号が共通に多重されるＯＦＤＭシンボルのうちの１つを前記第６の指定ＯＦＤＭシンボルとして使用するように指示することを含む。
【０１４９】
好ましくは、在前記チャネル又は信号が複数のセグメントに分割された場合、前記シンボルインデックスに従って前記チャネル又は信号用のＣＳを確定することは、各セグメントのチャネル又は信号上の１つのＯＦＤＭシンボルを該セグメントの第６の指定ＯＦＤＭシンボルとすることと、前記第６の指定ＯＦＤＭシンボルに従って、該セグメントのチャネル又は信号用のＣＳを確定することとを含む。
【０１５０】
好ましくは、前記第３の確定モジュールは、前記チャネル又は信号における各ＯＦＤＭシンボルのスケジューリングユニットにおける対応するシンボルインデックスを確定するように構成され、前記第４の確定モジュールは、前記シンボルインデックスに従って、対応する前記各ＯＦＤＭシンボル用のＣＳをそれぞれ確定するように構成される。
【０１５１】
好ましくは、前記第４の確定モジュールは、更に、前記チャネル又は信号が所在するスケジューリングユニットにおける第８の指定上りＯＦＤＭシンボルを前記第５の指定ＯＦＤＭシンボルとして確定するように構成される。
【０１５２】
好ましくは、前記第４の確定モジュールは、更に、前記スケジューリングユニットにおける１番目の上りシンボルに対応するシンボルインデックスを前記第８の指定上りＯＦＤＭシンボルインデックスとして確定するように構成される。
【０１５３】
好ましくは、前記チャネル又は信号は周波数ホッピングが発生したことを確定した場合、前記第４の確定モジュールは、更に、前記スケジューリングユニットにおける異なる上りシンボルのシンボルインデックスにより、異なる周波数ホッピング用のＣＳを確定するように構成される。
【０１５４】
本開示の一実施例によれば、ＣＳの確定装置を更に提供しており、該装置は、
チャネル又は信号が所在するスケジューリングユニットの複数のシンボルグループを取得するように構成される第３の取得モジュールと、
前記複数のシンボルグループに従って、前記スケジューリングユニット用の複数のＣＳを取得するように構成される第４の取得モジュールと、
所定ルールに従って前記チャネル又は信号上で前記複数のＣＳを使用するように構成される第２の適用モジュールとを含む。
【０１５５】
なお、上記各モジュールはソフトウェア又はハードウェアにより実現可能であり、後者については、以下の方式で実現可能であるがこれらに限定されない。上記モジュールは、いずれも同一のプロセッサに位置し、或いは、上記各モジュールは任意の組み合わせの形でそれぞれ異なるプロセッサに位置する。
【０１５６】
実施例３
本開示の他実施例によれば、プログラムを実行するように構成されるプロセッサを更に提供しており、前記プログラムが実行されるときに、上記の好ましい実施例のいずれか一項に記載の方法を実行する。
【０１５７】
実施例４
本開示の他実施例によれば、記憶されたプログラムを含む記憶媒体を更に提供しており、前記プログラムが実行されるときに、上記の好ましい実施例のいずれか一項に記載の方法を実行する。
【０１５８】
もちろん、当業者は、上記の本開示の各モジュール又は各ステップは、一般的なコンピューティング装置により実現してもよく、単一のコンピューティング装置に集中させてもよく、或いは複数のコンピューティング装置からなるネットワーク上に分布させてもよく、好ましくは、コンピューティング装置により実行可能なプログラムコードで実現してもよく、したがって、記憶装置に記憶されてコンピューティング装置により実行されてもよく、且つ、場合によっては、表示又は説明されたステップをここでの順序とは異なる順序で実行してもよく、或いはそれぞれ各の集積回路モジュールとして作製してもよく、或いはそれらの複数のモジュール又はステップを単一の集積回路モジュールとして作製して実現してもよいことを理解できる。このように、本開示は、任意の特定のハードウェア及びソフトウェアの組み合わせに限定されない。
【０１５９】
以上の説明は、本開示の実施例にすぎず、本開示を限定するものではなく、当業者にとって本開示は様々な変更及び変化を有してもよい。本開示の精神及び原理の範囲内で行われるあらゆる修正、等価な置換、変更等は、本開示の保護範囲内に含まれるべきである。
【図１】
2021503840.tif 000024
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
第１の指定直交周波数分割多重ＯＦＤＭシンボルのスケジューリングユニットにおけるシンボルインデックスを確定することと、
前記シンボルインデックスに従って、前記スケジューリングユニット上のチャネル又は信号用の系列群を確定することとを含む、系列群の確定方法。
【請求項２】
前記チャネル又は信号における第２の指定ＯＦＤＭシンボルを前記第１の指定ＯＦＤＭシンボルとして確定し、
前記チャネル又は信号における１番目のＯＦＤＭシンボルを前記第２の指定ＯＦＤＭシンボルとして確定する、請求項１に記載の系列群の確定方法。
【請求項３】
前記チャネル又は信号は周波数ホッピングが発生した場合、前記方法は、
１つの周波数ホッピングにおける第３の指定ＯＦＤＭシンボルのスケジューリングユニットにおけるシンボルインデックスにより、前記１つの周波数ホッピング用の系列群を確定することを更に含み、
前記周波数ホッピングにおける１番目のＯＦＤＭシンボルを前記第３の指定ＯＦＤＭシンボルとして確定する、請求項２に記載の系列群の確定方法。
【請求項４】
前記スケジューリングユニットにおける指定シンボルは、通信双方の基地局によって前記第２の指定ＯＦＤＭシンボルとして配置され、
前記スケジューリングユニットにおける指定シンボルは、通信双方の基地局によって前記第２の指定ＯＦＤＭシンボルとして配置されることは、
複数のチャネル又は信号が多重される場合、前記基地局は、前記複数のチャネル又は信号が共通に多重されるＯＦＤＭシンボルのうちの１つを前記第２の指定ＯＦＤＭシンボルとして使用するように指示することを含む、請求項２に記載の系列群の確定方法。
【請求項５】
前記チャネル又は信号が複数のセグメントに分割された場合、前記シンボルインデックスに従って前記チャネル又は信号用の系列群を確定することは、
各セグメントのチャネル又は信号上の１つのＯＦＤＭシンボルを該セグメントの第２の指定ＯＦＤＭシンボルとすることと、
前記第２の指定ＯＦＤＭシンボルに対応するシンボルインデックスに従って、該セグメントのチャネル又は信号用の系列群を確定することとを含む、請求項２に記載の系列群の確定方法。
【請求項６】
前記方法は、
前記チャネル又は信号における各ＯＦＤＭシンボルのスケジューリングユニットにおける対応するシンボルインデックスを確定することと、
前記シンボルインデックスに従って、対応する前記各ＯＦＤＭシンボル用の系列群をそれぞれ確定することとを更に含む、請求項２に記載の系列群の確定方法。
【請求項７】
前記方法は、
前記チャネル又は信号が所在するスケジューリングユニットにおける第４の指定上りＯＦＤＭシンボルを前記第１の指定ＯＦＤＭシンボルとして確定することを更に含む、請求項１に記載の系列群の確定方法。
【請求項８】
前記スケジューリングユニットにおける１番目の上りＯＦＤＭシンボルを前記第４の指定上りＯＦＤＭシンボルとして確定する、請求項７に記載の系列群の確定方法。
【請求項９】
前記チャネル又は信号は周波数ホッピングが発生したことを確定した場合、前記方法は、
前記スケジューリングユニットにおける異なる上りＯＦＤＭシンボルのシンボルインデックスにより、異なる周波数ホッピング用の系列群を確定することを更に含む、請求項７に記載の系列群の確定方法。
【請求項１０】
前記シンボルインデックスに従って、次の式で前記チャネル又は信号用の系列群を確定し、
2021503840.tif 000025
【請求項１１】
前記チャネル又は信号は、
物理上り制御チャネルと、
物理上り共用チャネルと、
チャネルサウンディング参照ＳＲＳ信号と、
ミニサブフレームｍｉｎｉ−ｓｌｏｔと、
のうちの１つを含む、請求項１に記載の系列群の確定方法。
【請求項１２】
チャネル又は信号が所在するスケジューリングユニットの複数のシンボルグループを取得することと、
前記複数のシンボルグループに従って、前記スケジューリングユニット用の複数の系列群を取得することと、
所定ルールに従って前記チャネル又は信号上で前記複数の系列群を使用することとを含む、系列群の確定方法。
【請求項１３】
前記チャネル又は信号は、
ＰＵＣＣＨチャネルと、
ＰＵＳＣＨチャネルと、
ＳＲＳ信号と、
ｍｉｎｉ−ｓｌｏｔと、
非ｓｌｏｔに従ってｓｌｏｔでスケジューリングされたチャネル又は信号と、
のうちの１つを含む、請求項１２に記載の系列群の確定方法。
【請求項１４】
プロセッサと、
プロセッサによって実行可能な指令を記憶するためにプロセッサに接続された記憶媒体とを含み、
プロセッサによって指令が実行されるときに、系列群の確定方法を実行し、前記確定方法は、
第１の指定直交周波数分割多重ＯＦＤＭシンボルのスケジューリングユニットにおけるシンボルインデックスを確定することと、
前記シンボルインデックスに従って、前記スケジューリングユニット上のチャネル又は信号用の系列群を確定することとを含む、系列群の確定装置。
【請求項１５】
前記チャネル又は信号における第２の指定ＯＦＤＭシンボルを前記第１の指定ＯＦＤＭシンボルとして確定し、
前記チャネル又は信号における１番目のＯＦＤＭシンボルを前記第２の指定ＯＦＤＭシンボルとして確定する、請求項１４に記載の系列群の確定装置。
【請求項１６】
前記チャネル又は信号は周波数ホッピングが発生した場合、前記方法は、
１つの周波数ホッピングにおける第３の指定ＯＦＤＭシンボルのスケジューリングユニットにおけるシンボルインデックスにより、前記１つの周波数ホッピング用の系列群を確定することを更に含み、
前記周波数ホッピングにおける１番目のＯＦＤＭシンボルを前記第３の指定ＯＦＤＭシンボルとして確定する、請求項１５に記載の系列群の確定装置。
【請求項１７】
前記スケジューリングユニットにおける指定シンボルは、通信双方の基地局によって前記第２の指定ＯＦＤＭシンボルとして配置され、
前記スケジューリングユニットにおける指定シンボルは、通信双方の基地局によって前記第２の指定ＯＦＤＭシンボルとして配置されることは、
複数のチャネル又は信号が多重される場合、前記基地局は、前記複数のチャネル又は信号が共通に多重されるＯＦＤＭシンボルのうちの１つを前記第２の指定ＯＦＤＭシンボルとして使用するように指示することを含む、請求項１５に記載の系列群の確定装置。
【請求項１８】
プロセッサと、
プロセッサによって実行可能な指令を記憶するためにプロセッサに接続された記憶媒体とを含み、
プロセッサによって指令が実行されるときに、請求項１２に記載の系列群の確定方法を実行する、系列群の確定装置。
【請求項１９】
電子デバイスによって実行されたときに、電子デバイスに請求項１に記載の系列群の確定方法を実行させる実行可能な指令を記憶する、非一時的な記憶媒体。
【請求項２０】
電子デバイスによって実行されたときに、電子デバイスに請求項１２に記載の系列群の確定方法を実行させる実行可能な指令を記憶する、非一時的な記憶媒体。
【国際調査報告】
2021503840.tif 000026
2021503840.tif 000027
2021503840.tif 000028
2021503840.tif 000029